(57)【要約】【課題】スロットイン形式の光ディスク装置において、異なるサイズの複数種類の円盤状の記録媒体を、必要最小の機構要素部材により装置内部の所定の位置にローディング可能とし、また、確実にイジェクト可能なディスクローディング機構を有する光ディスク装置を、提供する。【解決手段】この発明の光ディスク装置は、先端部及び光ディスクの直径の違いに応じて予め規定されている所定の位置に２つの突起部１９ａ，１９ｂを有し、光ディスクが挿入される方向に旋回可能に形成され、突起部１９ａへの光ディスクの接触により旋回するとともに、光ディスクの直径の違いに基づいて予め規定されている角度に旋回した状態で突起部１９ｂと突起部１９ａとにより、光ディスクの位置を設定するローディングアーム１９を有し、ローディングアームの逆向きの旋回により、光ディスクを排出可能である。【選択図】      図１
2008140455.tif 000002
【特許請求の範囲】
【請求項１】
光ディスクを、その記録面が所定の速度で回転可能に支持するターンテーブルと、
前記ターンテーブルに案内される光ディスクが挿入される方向よりも前記ターンテーブルの後方の所定の位置を回動支点として回動可能に形成され、前記ターンテーブルに案内すべき光ディスクの直径に対応した少なくとも２つの突起部を有するアーム部材と、
前記ターンテーブルに案内される光ディスクの進路を妨げることなく、かつ前記アーム部材との間に前記ターンテーブルが位置されるように規定された所定の位置を回動支点として回動可能に形成され、前記ターンテーブルに案内すべき光ディスクの外周の少なくとも１点に接触可能な案内部を有し、前記ターンテーブルに案内すべき光ディスクを、前記アーム部材に向けて案内する案内部材と、
第１の位置において、第１の直径の光ディスクを前記アーム部材に案内するとともに、第１の位置と間隔が異なる第２の位置において、第１の直径よりも大きな第２の直径の光ディスクを前記アーム部材に案内するガイド部材と、
前記アーム部材及び前記案内部材の回動を直列的に制御するカムスライダと、
を有することを特徴とする光ディスク装置。
【請求項２】
前記アーム部材及び前記案内部材は、前記ターンテーブルの側に互いに引き寄せられていることを特徴とする請求項１記載の光ディスク装置。
【請求項３】
前記アーム部材の前記２つの突起部と前記案内部材の前記案内部により、光ディスクが保持されることを特徴とする請求項１記載の光ディスク装置。
【請求項４】
前記アーム部材及び前記案内部材は、前記カムスライダが移動されることにより、第１の直径の光ディスクまたは第２の直径の光ディスクを前記ターンテーブルに対してセンタリング可能であることを特徴とする請求項１記載の光ディスク装置。
【請求項５】
第１の位置において、第１の直径の光ディスクを前記アーム部材に案内するとともに、第１の位置と間隔が異なる第２の位置において、第１の直径よりも大きな第２の直径の光ディスクを前記アーム部材に案内するガイド部材をさらに有することを特徴とする請求項１記載の光ディスク装置。
【請求項６】
前記ガイド部材は、光ディスクの直径に合わせて、第１の位置と第２の位置の間で変形可能であることを特徴とする請求項５記載の光ディスク装置。
【請求項７】
前記ターンテーブルのアーム部材の回動支点は、挿入される光ディスクの最大外周よりも前記ターンテーブルからの距離が離れた位置＜＜デッドスペース＞＞に規定されることを特徴とする請求項１記載の光ディスク装置。
【請求項８】
前記案内部材は、挿入される光ディスクを前記ガイド部材及び前記アーム部材に向けて方向づけることを特徴とする請求項５記載の光ディスク装置。
【請求項９】
光ディスクの外周部の任意の一点を所定の方向に付勢する第１の旋回機構と、
この第１の旋回機構により付勢された光ディスクを、光ディスクの外周部の任意の一点で保持するとともに、前記第１の旋回機構の旋回に応じて、同一の方向に旋回する第２の旋回機構と、
前記第１の旋回機構及び前記第２の旋回機構を、直列的な運動により一体に旋回させるカムスライダと、
前記第１の旋回機構及び前記第２の旋回機構のそれぞれに、互いに引き合う方向の力を与えるばね部材と、
を有し、
前記第２の旋回機構は、前記第１の旋回機構の旋回の程度および光ディスクの直径に応じて規定されている前記第２の旋回機構の任意の一点とは異なる別の一点において、前記付勢された光ディスクを前記第１の旋回機構が旋回される方向と同じ方向に旋回しながらさらに保持することを特徴とする光ディスク装置。
【請求項１０】
第１の位置において、第１の直径の光ディスクを前記第２の旋回機構に案内するとともに、第１の位置と間隔が異なる第２の位置において、第１の直径よりも大きな第２の直径の光ディスクを前記第２の旋回機構に案内するガイド部材をさらに有することを特徴とする請求項９記載の光ディスク装置。
【請求項１１】
スロットイン方式の光ディスク装置であって、
先端部及び光ディスクの直径の違いに応じて予め規定されている所定の位置に２つの突起部を有し、光ディスクが挿入される方向に旋回可能に形成され、少なくとも先端部の突起部への光ディスクの接触により旋回するとともに、光ディスクの直径の違いに基づいて予め規定されている角度に旋回した状態で光ディスクの直径の違いに応じて規定される所定の位置に設けられた突起部と先端部の突起部とにより、光ディスクの位置を設定するローディングアームと、
このローディングアームの旋回により搬送される光ディスクを保持して、光ディスクを回転させるターンテーブルと、
を有し、
前記ローディングアームの逆向きの旋回により、光ディスクを排出可能であることを特徴とする光ディスク装置。
【発明の詳細な説明】
【技術分野】
【０００１】
この発明は、円盤状の記録媒体、例えば光ディスクに記録されている情報を読み出し、あるいは同ディスクに情報を記録する光ディスク装置に関する。
【背景技術】
【０００２】
記録されている情報をレーザ光により再生し、あるいはレーザ光により情報が記録可能な光ディスク装置（光ディスクドライブ装置）が実用化されて久しい。
【０００３】
光ディスク装置は、光ディスクの情報記録面に沿ってその半径方向に移動され、光ディスクに記録されている情報を読み出し、あるいは光ディスクに情報を記録する光ピックアップ（光ヘッド）装置と、光ディスクを（ドライブ装置内部の）所定の位置に引き込み、また確実に排出するためのディスクローディング機構と、光ディスクを回転させるディスクモータと、情報の記録及び再生に関する一連の動作を司る制御回路部等を含む。
【０００４】
ところで、今日では、ビデオカメラに用いる記録媒体として、小サイズ（８ｃｍ）の光ディスクが利用されている。
【０００５】
このため、光ディスク装置においては、従来からの１２ｃｍサイズと８ｃｍサイズの光ディスクの双方から情報を読み出し、もしくは情報が記録できることが求められている。
【０００６】
なお、特許文献１には、ディスク装着部と対向する主面とディスク挿脱口から挿入されたディスクの主面との間で回動操作される複数の回動アームによって、ディスク挿脱口から挿入されたディスクの外周部を挟み込みながら、ディスクをディスク挿脱口から筐体の内部へと引き込むローディング動作と、ディスクをディスク装着部に位置決めするセンタリング動作と、ディスクをディスク挿脱口から筐体の外部へと排出するイジェクト動作とを行う光ディスクドライブ装置が、示されている。
【０００７】
また、特許文献２には、第１の回動アーム及び第２の回動アームがターンテーブルを挟んだ両側に配置され、ターンテーブルよりも背面側に位置する基端部が回動可能に支持されると共に、ターンテーブルよりも前面側に位置する先端部がディスク挿脱口から挿入されたディスクの主面と平行な面内で互いに近接又は離間する方向に揺動可能とされており、これら回動アームに設けられた複数の当接部材の内側に外径の異なるディスクをそれぞれ挟み込んだ際に、各ディスクの中心孔とターンテーブルの係合突部とを一致させることを特徴とする光ディスクドライブ装置が、示されている。
【０００８】
また、特許文献３には、光ディスクの搬送方向に移動可能なスライダと、該スライダに設けられ、光ディスクの搬送方向と直交する方向に移動し、互いに近接する方向に付勢されたガイド部材と、該ガイド部材に設けられ、各端部に光ディスクの外周部に係合するガイドローラが設けられ、基端側が該スライダに回動可能に取り付けられた回動アームと、該スライダに設けられ、一対のガイド部材が互いに近接離間する方向に移動させる連結ギヤとを備え、光ディスクが挿入されると、該連結ギヤによって該ガイド部材が互いに離間方向に移動し、光ディスクによって該回動アームが回動して該ガイドローラに係合し、該スライダが光ディスクの挿入方向にスライドし、光ディスクが該ガイドローラに係合保持された状態で回転位置に移動されることを特徴とする光ディスクドライブ装置が、示されている。
【特許文献１】特開２００５−１９０６４５
【特許文献２】特開２００５−１９０６４６
【特許文献３】特開２００６−２５１３６２
【発明の開示】
【発明が解決しようとする課題】
【０００９】
上述した各特許文献に記載された光ディスクドライブ装置は、いずれも１２ｃｍディスクと８ｃｍディスクの双方に対応しているが、いずれの文献に記載されたドライブ装置も、２以上のアーム部材を用いている。従って、ディスクを搬送するための機構や位置決めのための機構が複雑となるばかりか、光ディスクドライブ装置の重量も重くなることが予想される。
【００１０】
このことは、光ディスクドライブ装置が、例えばパーソナルコンピュータ等の携帯可能な機器に組み込まれる場合に、装置全体の重量を増大させることにもつながる。
【００１１】
この発明の目的は、スロットイン形式の光ディスクドライブ装置において、異なるサイズの複数種類の円盤状の記録媒体を、必要最小の機構要素部材により装置内部の所定の位置にローディング可能とし、また、確実にイジェクト可能なディスクローディング機構を有する光ディスク装置を提供するものである。
【課題を解決するための手段】
【００１２】
この発明は、上記問題点に基づきなされたもので、光ディスクを、その記録面が所定の速度で回転可能に支持するターンテーブルと、前記ターンテーブルに案内される光ディスクが挿入される方向よりも前記ターンテーブルの後方の所定の位置を回動支点として回動可能に形成され、前記ターンテーブルに案内すべき光ディスクの直径に対応した少なくとも２つの突起部を有するアーム部材と、前記ターンテーブルに案内される光ディスクの進路を妨げることなく、かつ前記アーム部材との間に前記ターンテーブルが位置されるように規定された所定の位置を回動支点として回動可能に形成され、前記ターンテーブルに案内すべき光ディスクの外周の少なくとも１点に接触可能な案内部を有し、前記ターンテーブルに案内すべき光ディスクを、前記アーム部材に向けて案内する案内部材と、第１の位置において、第１の直径の光ディスクを前記アーム部材に案内するとともに、第１の位置と間隔が異なる第２の位置において、第１の直径よりも大きな第２の直径の光ディスクを前記アーム部材に案内するガイド部材と、前記アーム部材及び前記案内部材の回動を直列的に制御するカムスライダと、を有することを特徴とする光ディスク装置、を提供するものである。
【発明の効果】
【００１３】
この発明の実施の形態によれば、スロットインタイプの光ディスクドライブ装置に、直径の異なる光ディスクをローディングするための位置決めにおいて、１本の回転アーム部材上に一体形成した２つ突起により、任意の光ディスクをセンタリング位置に案内でき、従って、機構が簡素化されることから部品点数が削減できる。また、これに伴って装置が軽量化され、さらに信頼性の向上を図ることができる。
【００１４】
また、１本の回転アーム部材上に一体形成した２つ突起に対して、光ディスクをターンテーブルの反対の方向から押し付けることのできるディスクホールド機構を設けたことにより、光ディスク装置内を搬送される光ディスクが確実に、ローディング／イジェクト可能である。
【００１５】
さらに、１本の回転アーム部材上に一体形成した２つ突起とその２つの突起に対して、光ディスクをターンテーブルの反対の方向から押し付けることのできるディスクホールド機構を設け、その旋回（回動）動作により光ディスクのセンタリング位置を規制することにより、サイズの異なる光ディスクを正確にセンタリングでき、従って、クランプ精度が向上可能である。
【発明を実施するための最良の形態】
【００１６】
以下、図面を参照して、この発明の実施の形態の一例を説明する。
【００１７】
図１は、この発明の実施の一形態が適用可能な光ディスク装置（光ディスクドライブ装置）の一例を示す。なお、図１に示す光ディスク装置は、情報の記録時及び再生時に光ディスクが装置内部に収容されるスロットインタイプと呼ばれる光ディスク装置であって、例えば携帯可能なパーソナルコンピュータ（ノートＰＣ）等に組み込まれて利用される。また、図１では、一部のカバー類を取り外した状態を示している。
【００１８】
図１に示す光ディスク装置１は、ハウジング（ボトムカバー）１１と、その概ね中央に位置されたディスクモータ１３とを有する。ディスクモータ１３の中心軸（符号なし）には、光ディスクを積置するターンテーブル１５が設けられている。
【００１９】
ターンテーブル１５（ディスクモータ１３）の近傍には、ハウジング１１の所定の位置に定義された支点１７を回動中心として旋回（回動）するローディングアーム１９が設けられている。
【００２０】
ローディングアーム１９の支点１７から離れた所定の位置には、矢印Ａで示すディスク挿入方向からターンテーブル１５に向けて挿入される光ディスクの円周の一部と接触可能に形成された第１の位置決め突起１９ａと、第１の位置決め突起１９ａと支点１７との間の所定の位置に形成された第２の位置決め突起１９ｂが設けられている。なお、第１の位置決め突起１９ａは、ディスク挿入方向Ａから挿入される光ディスクの直径に拘わらず、（挿入される）光ディスクの記録面がターンテーブル１５に接するよりも前に光ディスクの外周に接するように、位置及び形状が規定されている。また、第２の位置決め突起１９ｂは、ディスク挿入方向Ａから挿入される光ディスクの直径に拘わらず、光ディスクの中心に設けられている開孔（中心穴）とターンテーブル１５の中心が概ね一致する位置で、光ディスクの外周と接触するよう、位置及び形状が規定されている。
【００２１】
ハウジング１１の広がり方向（面方向）の外周側の所定の位置には、ローディングアーム１９と協働して、挿入方向Ａから挿入される光ディスクを支持してローディングアーム１９に向けて案内する第１のディスクガイド２３（挿入方向Ａから見て、ターンテーブル１５の右側に位置される）及び第２のディスクガイド２５（挿入方向Ａから見て、ターンテーブル１５の左側に位置される）が設けられている。すなわち、第１及び第２のディスクガイド２３，２５は、ターンテーブル１５を平面方向（ターンテーブル１５を支持するディスクモータ１３の中心軸と平行な方向）から見た状態で、ターンテーブル１５がそれぞれのガイド２３，２５の内側に位置されるよう、ターンテーブル１５を挟んで両側に位置されている。
【００２２】
第１のディスクガイド２３の近傍には、ローディングアーム１９の第１の位置決め突起１９ａと協働して、（挿入方向Ａから挿入される）光ディスクを保持するディスクホールディングピン２７ａを有するディスクホールドレバー２７が、設けられている。なお、ディスクホールドレバー２７は、レバー２７の所定の位置に形成されている支点２７ｂを回動中心として、ターンテーブル１５に向かう方向に、旋回可能である。また、ディスクホールドレバー２７とローディングアーム１９は、それぞれ、図１では隠れて見えないが、（図８（ａ）あるいは図９（ａ）に示されている）引張りばね３１により互いに引き寄せられている（ディスクホールドレバー２７とローディングアーム１９は、ばね部材３１により、常時、ターンテーブル１５側へ引き寄せられる向きの力で、互いに引き寄せられている）。
【００２３】
第１及び第２のディスクガイド２３，２５は、それぞれ、支点２３ａ及び２５ａにより分割されるメインディスクガイド２３ｂ及び２５ｂと、サブディスクガイド２３ｃ及び２５ｃと、両者に所定の張力（引張り）を与えるばね部材２３ｄ及び２５ｄからなる。
【００２４】
なお、メインディスクガイド２３ｂ及び２５ｂは、それぞれ、支点２３ａ及び２５ａと反対の側が自由端に規定されている。また、サブディスクガイド２３ｃ及び２５ｃは、それぞれ、支点２３ａ及び２５ａと反対の側がハウジング１１の所定の位置に固定されている。従って、両者は、光ディスクが挿入されていない状態では、ばね部材２３ｄ及び２５ｄにより提供される力により支点２３ａ及び２５ａがターンテーブル１５側に移動された状態、すなわちメインディスクガイド２３ｂ及び２５ｄの自由端が、平行よりも広がった状態で、ばね部材２３ｄ及び２５ｄによりからの引張り力に釣り合っている。
【００２５】
図２及び図３は、図１に示した光ディスク装置（光ディスクドライブ装置）に、第１の大きさ、例えば直径が１２ｃｍの光ディスクが挿入される状態を示している。なお、図２は、光ディスク装置に光ディスクが挿入される際に、光ディスクの外周の任意の位置が、ディスクホールディングレバー２７のディスクホールディングピン２７ａおよびローディングアーム１９の第１の位置決め突起１９ａに接した状態を、図３は、挿入過程にある光ディスクと第１及び第２のディスクガイド２３，２５との位置関係を、それぞれ、示している。
【００２６】
図２に示すように、光ディスク（１２ｃｍ）が挿入方向Ａから光ディスク装置１に挿入される（押し込まれる）と、ディスクホールディングレバー２７のディスクホールディングピン２７ａに光ディスクの外周の任意の位置が接することにより、光ディスクは、ローディングアーム１９（ターンテーブル１５）側へ誘導され、ローディングアーム１９の第１の位置決め突起１９ａに接触する。なお、既に説明した通り、ディスクホールディングレバー２７とローディングアーム１９は、互いにターンテーブル１５側に向かうよう、所定の張力が与えられていることにより、光ディスクは、ディスクホールディングレバー２７とローディングアーム１９とにより支えられて、ターンテーブル１５側へ案内される。
【００２７】
この状態でさらに光ディスクが押し込まれると、ローディングアーム１９が支点１７を回動中心としてターンテーブル１５から離れる方向に、回動（旋回）する。
【００２８】
以下、図３に示されるように、第１及び第２のディスクガイド２３，２５の支点２３ａ及び２５ａが、光ディスクが挿入される（ローディングアーム１９が旋回する）につれて外側に次第に押し広げられ、光ディスクの不所望な動きが規制される。
【００２９】
引き続き、光ディスクが押し込まれることで、図８（ａ）に示すように、第１及び第２のディスクガイド２３，２５の支点２３ａ，２５ａが最も外側まで移動されて実質的に直線状となり、光ディスクの中心がターンテーブル１５の近傍に位置するまで、ディスクホールディングレバー２７とローディングアーム１９とにより、光ディスクが搬送される。
【００３０】
ディスクホールディングレバー２７とローディングアーム１９とにより挟持された光ディスクは、引き続く、ディスクホールディングレバー２７とローディングアーム１９の旋回により、図８（ｂ）に示すように、ターンテーブル１５と光ディスクの中心とが一致するディスククランプ位置まで搬送される。この場合、ローディングアーム１９の第２の位置決め突起１９ｂは、第１の位置決め突起１９ａと協働して、１２ｃｍディスクの中心をターンテーブル１５に中央に一致させるために有益である。
【００３１】
すなわち、１２ｃｍディスクの進入により第１及び第２のディスクガイド２３，２５は開口し、光ディスクが十分に進入した位置（図５（ａ））において、カムスライダ３１が詳述しないローディングモータの回転により駆動され、ローディングアーム１９上に形成された位置決め突起１９ａ，１９ｂとホールドレバー２７上のホールドピン２７ａ間にディスクを抱えた状態で内部へ搬送する。
【００３２】
カムスライダ３１がさらにスライドし、コネクトレバー２１の係合突起（ＣＯ）がＬＯカムＰＯＳ（１２ＬＯ）に入ると、ローディングアーム１９すなわち第１及び第２の位置決め突起１９ａ，１９ｂが、ターンテーブル１５（ディスクモータ１３）の中央にディスクの中心（穴）が一致する位置まで進入可能に、移動される。同時に、ディスクホールドレバー２７の係合突起（ＨＯ）がＨＯカムＰＯＳ（１２ＬＯ）に入り、ディスクホールドピン２７ａが、ターンテーブル１５（ディスクモータ１３）の中央にディスクの中心が一致する位置まで光ディスクを押し込み可能に、移動する。これにより、光ディスクは、ターンテーブル１５上でクランプされる位置に、位置される。
【００３３】
以下、詳述しないが、ディスク挿入時にはボトムカバー（ハウジング）１１側に退避されているターンテーブル１５（ディスクモータ１３）が上昇されることで、ターンテーブルに光ディスクがクランプされ、図６に示すように、光ディスクが回転可能に、光ディスク装置１にセットされる。
【００３４】
なお、光ディスクが回転される際には、図１０に示すように、ディスクホールディングレバー２７及びローディングアーム１９のそれぞれは、図示しないばね圧解除機構によりターンテーブル１５へ向かう方向の張力が解放され、光ディスクの外周部と接することが抑止されることはいうまでもない。
【００３５】
また、光ディスクが排出される場合には、ローディングアーム１９が逆方向に旋回することにより、容易に（取り出し可能な位置まで）排出可能である。
【００３６】
次に、８ｃｍの光ディスクのローディングについて説明する。
【００３７】
図４及び図５は、図１に示した光ディスク装置（光ディスクドライブ装置）に、第１の大きさ、８ｃｍの光ディスクが挿入される状態を示している。なお、図４は、光ディスク装置に光ディスクが挿入される際に、光ディスクの外周の任意の位置が、ディスクホールディングレバー２７のディスクホールディングピン２７ａおよびローディングアーム１９の第１の位置決め突起１９ａに接した状態を、図５は、挿入過程にある光ディスクと第１及び第２のディスクガイド２３，２５との位置関係を、それぞれ、示している。
【００３８】
図４に示すように、光ディスク（８ｃｍ）が挿入方向Ａから光ディスク装置１に挿入される（押し込まれる）と、ディスクホールディングレバー２７のディスクホールディングピン２７ａに光ディスクの外周の任意の位置が接することにより、光ディスクは、ローディングアーム１９（ターンテーブル１５）側へ誘導され、ローディングアーム１９の第１の位置決め突起１９ａに接触する。なお、既に説明した通り、ディスクホールディングレバー２７とローディングアーム１９は、互いにターンテーブル１５側に向かうよう、所定の張力が与えられていることにより、光ディスクは、ディスクホールディングレバー２７とローディングアーム１９とにより挟持されて、ターンテーブル１５側へ案内される。
【００３９】
この状態でさらに光ディスクが押し込まれると、ローディングアーム１９が支点１７を回動中心としてターンテーブル１５から離れる方向に、回動（旋回）する。
【００４０】
このとき、図５に示されるように、第１及び第２のディスクガイド２３，２５及びその支点２３ａ及び２５ａは、光ディスクの不所望な動きを規制するものの、１２ｃｍの光ディスクが挿入される場合に比較して、実質的な回動（旋回）動作を伴わない初期位置で、光ディスクを光ディスク装置１の概ね中央に位置させることができる（図９（ａ）、図９（ｂ）参照、図９（ａ）の位置では、光ディスクの中心がターンテーブル１５に一致する直前の状態を示している）。
【００４１】
以下、ディスクホールディングレバー２７とローディングアーム１９とにより挟持された光ディスクは、引き続く、ディスクホールディングレバー２７とローディングアーム１９の旋回により、図９（ｂ）に示すように、ターンテーブル１５と光ディスクの中心とが一致するディスククランプ位置まで搬送される。この場合、ローディングアーム１９の第２の位置決め突起１９ｂは、第１の位置決め突起１９ａと協働して、８ｃｍディスクの中心をターンテーブル１５に中央に一致させるために有益である。
【００４２】
この状態で、詳述しないが、ディスク挿入時にはボトムカバー（ハウジング）１１側に退避されているターンテーブル１５（ディスクモータ１３）が上昇されることで、ターンテーブルに光ディスクがクランプされ、図７に示すように、光ディスクが回転可能に、光ディスク装置１にセットされる。
【００４３】
すなわち、８ｃｍのディスクは、図９（ａ）に示すように、第１及び第２のディスクガイド２３，２５及びその支点２３ａ，２５ａの近傍とローディングアーム１９の第１及び第２の位置決め突起１９ａ，１９ｂに接触しながら光ディスク装置１の内部に案内され、カムスライダ３１が詳述しないローディングモータの回転により駆動されることで、ディスクホールドレバー２７のピン２７ａにより、さらに装置１内部に向けて搬送される。
【００４４】
カムスライダがさらにスライドし、コネクトレバー２１の係合突起（ＣＯ）がＬＯカムＰＯＳ（８ＬＯ）に入ると、ローデイングアーム１９すなわち第１および第２の位置決め突起１９ａ，１９ｂが、ターンテーブル１５（ディスクモータ１３）の中央にディスクの中心（穴）が一致する位置まで進入可能に、移動される。同時に、ディスクホールドアームレバー２７の係合突起（ＨＯ）がＨＯカムＰＯＳ（８ＬＯ）に導かれ、ホールドピン２７ａが、ターンテーブル１５（ディスクモータ１３）の中央にディスクの中心が一致する位置まで光ディスクを押し込み可能に、移動する。これにより、光ディスクは、ターンテーブル１５上でクランプされる位置に、位置される。もちろん、８ｃｍディスクであるから、この時点でのカムスライダ３１の移動位置は、１２ｃｍディスクのクランプ位置に比較して、かなり手前に規定される。
【００４５】
このように、カムスライダ３１上に、８ｃｍディスクのセンタリング及び１２ｃｍディスクのセンタリングを、ローディングアーム１９の回動の過程においてシリーズ（直列）で実行されるカム溝により制御することにより、いずれの直径のディスクの位置決めも、ただ１つのローディングアーム１９に形成した２箇所の突起１９ａ，１９ｂとホールドレバー２７に形成したピン２７ａにより、実現している。
【００４６】
なお、光ディスクが回転される際には、図１０に示すように、ディスクホールディングレバー２７及びローディングアーム１９のそれぞれは、図示しないばね圧解除機構によりターンテーブル１５へ向かう方向の張力が解放され、光ディスクの外周部と接することが抑止されることはいうまでもない。但し、ディスクホールディングレバー２７及びローディングアーム１９のそれぞれは、１２ｃｍの光ディスクが挿入された場合と同じまで、退避される。すなわち、ディスクホールディングレバー２７及びローディングアーム１９の退避位置は、８ｃｍの光ディスクに対しては用意されていないが、光ディスクとレバー２７及びアーム１９が接しないことが確保できればよいことはいうまでもない。
【００４７】
すなわち、１２ｃｍディスクあるいは８ｃｍディスクのいずれの場合も、カムスライダ３１の動作される位置は同様であり、最奥である。この場合、ローディングアーム１９の係合突起（ＣＯ）がＬＯカムＰＯＳ（ＥＮＤ）にて、ホールドレバー２７の係合突起（ＨＯ）がＨＯカムＰＯＳ（ＥＮＤ）に入り、１２ｃｍ光ディスクの外周部からそれぞれの突起１９ａ，１９ｂ及びピン２７ａが外周方向に退避し、ディスクが回転可能となる。
【００４８】
また、光ディスクが排出される場合には、ローディングアーム１９が逆方向に旋回することにより、容易に（取り出し可能な位置まで）排出可能である。
【００４９】
以上説明したように、この発明の実施の形態の一例によれば、スロットインタイプの光ディスク装置（光ディスクドライブ装置）において、ディスク挿入位置から見て、ターンテーブル（ディスクモータ）よりも奥側に設けられたただ１つの旋回要素（ローディングアーム）とその先端部及び任意の位置に設けられた２つの位置決め部により、大きさの異なるディスクを支持しながら、ターンテーブルの中央に（ディスクの中心が）一致するよう、案内できる。
【００５０】
また、光ディスクが排出される場合においても、旋回要素の逆方向の旋回により、容易に排出可能である。
【００５１】
すなわち、本発明の実施の一形態においては、ディスクドライブ１の奥側（ターンテーブルよりも後方）の光ディスクが装着された際においてもデッドスペースとなる位置に設けた支点１７を回動中心として回動（旋回）するローディングアーム１９に、１２ｃｍ光ディスク及び８ｃｍ光ディスクのいずれのディスクも、位置決め可能な２つの突起１９ａ，１９ｂを形成し、ローディングアーム１９に対して引き寄せられるよう形成したディスクホールディングレバー２７の一端に設けたピン２７ａを協働させることで、ローディングアーム１９の回転（旋回）角度によって、径の異なる（１２ｃｍと８ｃｍ）光ディスクを、各センタリング位置（ターンテーブル上）に案内できる。
【００５２】
なお、ローディングアーム１９（及びばね３１により引き寄せられるディスクホールディングレバー２７）は、図８（ａ）、（ｂ）および図９（ａ），（ｂ）に概略を示すが、コネクトレバー２１と接続され、コネクトレバー２１に形成した係合突起（ＬＯ）がカムスライダ３１上に形成したカム溝（ＬＯ）に導かれる際に、ローディングアーム１９を、予め決められている「ディスク挿入待機」、「搬送」、「８ｃｍ位置決め」、「１２ｃｍ位置決め」、「ローディングＥＮＤ（退避）」等の各ポジションに位置される。
【００５３】
以上説明した通り、この発明の実施の形態によれば、スロットインタイプの光ディスク装置に、直径の異なるディスクをローディングするための位置決めにおいて、１本の回転アーム部材上に一体形成した２つ突起により、任意の光ディスクをセンタリング位置に案内でき、従って、機構が簡素化されることから部品点数が削減できる。また、これに伴って装置が軽量化され、さらに信頼性の向上を図ることができる。
【００５４】
また、１本の回転アーム部材上に一体形成した２つ突起に対して、光ディスクをターンテーブルの反対の方向から押し付けることのできるディスクホールド機構を設けたことにより、ディスク装置内を搬送される光ディスクが確実に、ローディング／イジェクト可能である。
【００５５】
さらに、１本の回転アーム部材上に一体形成した２つ突起とその２つの突起に対して、光ディスクをターンテーブルの反対の方向から押し付けることのできるディスクホールド機構を設け、その旋回（回動）動作により光ディスクのセンタリング位置を規制することにより、サイズの異なる光ディスクを正確にセンタリングでき、従って、クランプ精度が向上可能である。
【００５６】
なお、この発明は、上述した実施の形態に限定されるものではなく、その実施の段階ではその要旨を逸脱しない範囲で種々な変形もしくは変更が可能である。また、個々の実施の形態は、可能な限り適宜組み合わせて実施されてもよく、その場合、組み合わせによる効果が得られる。
【図面の簡単な説明】
【００５７】
【図１】この発明の実施の一形態が適用される光ディスク装置（光ディスクドライブ装置）の例を説明する概略図。
【図２】図１に示した光ディスク装置に１２ｃｍの光ディスクが挿入される過程を説明する概略図。
【図３】図２に示した１２ｃｍの光ディスクが挿入される状態に引き続く過程を説明する概略図。
【図４】図１に示した光ディスク装置に８ｃｍの光ディスクが挿入される過程を説明する概略図。
【図５】図４に示した８ｃｍの光ディスクが挿入される状態に引き続く過程を説明する概略図。
【図６】図１に示した光ディスク装置に１２ｃｍの光ディスクが挿入され、クランプされた状態を示す概略図。
【図７】図１に示した光ディスク装置に８ｃｍの光ディスクが挿入され、クランプされた状態を示す概略図。
【図８】図２に示した１２ｃｍのディスクの挿入過程をより判り易く説明する概略図。
【図９】図４に示した８ｃｍの光ディスクの挿入過程をより判り易く説明する概略図。
【図１０】図１に示した光ディスク装置に挿入されたディスクが回転可能な状態（ローディングアーム及びディスクホールディングレバー退避）を説明する概略図。
【符号の説明】
【００５８】
１…光ディスク装置（光ディスクドライブ装置）、１１…ボトムカバー（ハウジング）、１３…ディスクモータ、１５…ターンテーブル、１７…（ローディングアームの）回動支点、１９…ローディングアーム、１９ａ…第１の位置決め突起（ローディングアーム）、１９ｂ…第１の位置決め突起（ローディングアーム）、２１…コネクトレバー、２３…第１のディスクガイド、２５…第２のディスクガイド、２７…ディスクホールディングレバー、２７ａ…ディスクホールディングピン、２９…引張りばね、３１…カムスライダ。
【図１】
2008140455.tif 000003
【図２】
2008140455.tif 000004
【図３】
2008140455.tif 000005
【図４】
2008140455.tif 000006
【図５】
2008140455.tif 000007
【図６】
2008140455.tif 000008
【図７】
2008140455.tif 000009
【図８】
2008140455.tif 000010
【図９】
2008140455.tif 000011
【図１０】
2008140455.tif 000012
【手続補正書】
【提出日】平成18年12月27日(2006.12.27)
【手続補正１】
【補正対象書類名】特許請求の範囲
【補正対象項目名】請求項７
【補正方法】変更
【補正の内容】
【請求項７】
前記ターンテーブルのアーム部材の回動支点は、挿入される光ディスクの最大外周よりも前記ターンテーブルからの距離が離れた位置に規定されることを特徴とする請求項１記載の光ディスク装置。
【手続補正２】
【補正対象書類名】明細書
【補正対象項目名】００２２
【補正方法】変更
【補正の内容】
【００２２】
第１のディスクガイド２３の近傍には、ローディングアーム１９の第１の位置決め突起１９ａと協働して、（挿入方向Ａから挿入される）光ディスクを保持するディスクホールディングピン２７ａを有するディスクホールドレバー２７が、設けられている。なお、ディスクホールドレバー２７は、レバー２７の所定の位置に形成されている支点２７ｂを回動中心として、ターンテーブル１５に向かう方向に、旋回可能である。また、ディスクホールドレバー２７とローディングアーム１９は、それぞれ、図１では隠れて見えないが、（図８（ａ）あるいは図９（ａ）に示されている）ばね部材２９により互いに引き寄せられている（ディスクホールドレバー２７とローディングアーム１９は、ばね部材２９により、常時、ターンテーブル１５側へ引き寄せられる向きの力で、互いに引き寄せられている）。
【手続補正３】
【補正対象書類名】明細書
【補正対象項目名】００２４
【補正方法】削除
【補正の内容】
【手続補正４】
【補正対象書類名】明細書
【補正対象項目名】００４４
【補正方法】変更
【補正の内容】
【００４４】
カムスライダ３１がさらにスライドし、コネクトレバー２１の係合突起（ＣＯ）がＬＯカムＰＯＳ（８ＬＯ）に入ると、ローデイングアーム１９すなわち第１および第２の位置決め突起１９ａ，１９ｂが、ターンテーブル１５（ディスクモータ１３）の中央にディスクの中心（穴）が一致する位置まで進入可能に、移動される。同時に、ディスクホールドアームレバー２７の係合突起（ＨＯ）がＨＯカムＰＯＳ（８ＬＯ）に導かれ、ホールドピン２７ａが、ターンテーブル１５（ディスクモータ１３）の中央にディスクの中心が一致する位置まで光ディスクを押し込み可能に、移動する。これにより、光ディスクは、ターンテーブル１５上でクランプされる位置に、位置される。もちろん、８ｃｍディスクであるから、この時点でのカムスライダ３１の移動位置は、１２ｃｍディスクのクランプ位置に比較して、かなり手前に規定される。
【手続補正５】
【補正対象書類名】明細書
【補正対象項目名】００５２
【補正方法】変更
【補正の内容】
【００５２】
なお、ローディングアーム１９（及びばね部材２９により引き寄せられるディスクホールディングレバー２７）は、図８（ａ）、（ｂ）および図９（ａ），（ｂ）に概略を示すが、コネクトレバー２１と接続され、コネクトレバー２１に形成した係合突起（ＬＯ）がカムスライダ３１上に形成したカム溝（ＬＯ）に導かれる際に、ローディングアーム１９を、予め決められている「ディスク挿入待機」、「搬送」、「８ｃｍ位置決め」、「１２ｃｍ位置決め」、「ローディングＥＮＤ（退避）」等の各ポジションに位置される。
【手続補正６】
【補正対象書類名】明細書
【補正対象項目名】００５８
【補正方法】変更
【補正の内容】
【００５８】
１…光ディスク装置（光ディスクドライブ装置）、１１…ボトムカバー（ハウジング）、１３…ディスクモータ、１５…ターンテーブル、１７…（ローディングアームの）回動支点、１９…ローディングアーム、１９ａ…第１の位置決め突起（ローディングアーム）、１９ｂ…第１の位置決め突起（ローディングアーム）、２１…コネクトレバー、２３…第１のディスクガイド、２５…第２のディスクガイド、２７…ディスクホールディングレバー、２７ａ…ディスクホールディングピン、２９…ばね部材、３１…カムスライダ。
【手続補正７】
【補正対象書類名】図面
【補正対象項目名】図１
【補正方法】変更
【補正の内容】
【図１】
2008140455.tif 000013
【手続補正８】
【補正対象書類名】図面
【補正対象項目名】図３
【補正方法】変更
【補正の内容】
【図３】
2008140455.tif 000014
【手続補正９】
【補正対象書類名】図面
【補正対象項目名】図４
【補正方法】変更
【補正の内容】
【図４】
2008140455.tif 000015
【手続補正１０】
【補正対象書類名】図面
【補正対象項目名】図５
【補正方法】変更
【補正の内容】
【図５】
2008140455.tif 000016
【手続補正１１】
【補正対象書類名】図面
【補正対象項目名】図１０
【補正方法】変更
【補正の内容】
【図１０】
2008140455.tif 000017